(57)【要約】【課題】操作性の高い画像読取装置を提供する。【解決手段】画像データの送信先を選択するための複数の選択ボタン７０，７２，７４，７６を備える画像読取装置において、選択ボタンの選択前に、画像データを送信することが可能な状態にある送信先の選択ボタンを第１の態様で表示させ（ａ）、選択ボタンの選択後に、選択された前記選択ボタン７２を第２の態様で表示させるとともに、残りの選択ボタン７２，７４，７６を第１の態様で表示させる（ｂ）。これにより、ユーザは、選択された送信先を容易に把握することが可能となる。また、選択されなかった選択ボタンの表示は維持されることから、送信先の選択のやり直し等に容易に対応することが可能となる。このように、本発明の画像読取装置によれば、操作性を向上させることが可能となる。【選択図】図９
2014053784.tif 000002
【特許請求の範囲】
【請求項１】
画像データの送信先を選択するための複数の選択ボタンを備える画像読取装置であって、
前記選択ボタンが選択される前に、前記複数の選択ボタンのうちの画像データを送信することが可能な状態にある送信先に対応する前記選択ボタンを第１の態様で表示させる選択前表示手段と、
前記選択ボタンが選択された後に、選択された前記選択ボタンを第１の態様とは異なる第２の態様で表示させるとともに、残りの前記選択ボタンを第１の態様で表示させる選択後表示手段と、
前記選択ボタンが選択された後に、画像の読取を開始する画像読取手段と、
を備えることを特徴とする画像読取装置。
【請求項２】
前記選択前表示手段は、
優先的に画像データを送信するべき送信先が設定されている場合に、その設定されている送信先に対応する前記選択ボタンを第２の態様で表示させることを特徴とする請求項１に記載の画像読取装置。
【請求項３】
画像の読取が前記画像読取手段に指示された後に、選択された前記選択ボタンを第２の態様とは異なる第３の態様で表示させる読取指示後表示手段を備えることを特徴とする請求項１または２に記載の画像読取装置。
【請求項４】
前記読取指示後表示手段は、
画像の読取が前記画像読取手段に指示された後に、選択された前記選択ボタン以外の前記選択ボタンの表示を禁止することを特徴とする請求項３に記載の画像読取装置。
【請求項５】
画像の読取を開始するための開始ボタンと、
画像データの送信先が選択された後に、前記開始ボタンを表示させる開始ボタン表示手段と、
を備え、
前記読取指示後表示手段は、
前記開始ボタンが操作された後に、前記選択ボタンの表示を制御することを特徴とする請求項３または４に記載の画像読取装置。
【請求項６】
画像の読取を中止するための中止ボタンと、
画像の読取が前記画像読取手段に指示された後に、前記中止ボタンを表示させる中止ボタン表示手段と、
を備えることを特徴とする請求項３ないし５の何れか１項に記載の画像読取装置。
【請求項７】
画像の読取を開始するための開始ボタンを有し、
２種類のサイズの原稿を読み取り可能であり、
前記画像読取手段は、
前記２種類のサイズの原稿のうちの大きな原稿の読取時には、前記開始ボタンが操作された場合に、画像の読取を開始し、前記２種類のサイズの原稿のうちの小さな原稿の読取時には、前記開始ボタンが操作されなくても、画像の読取を開始することを特徴とする請求項１ないし６の何れか１項に記載の画像読取装置。
【請求項８】
画像の読取を開始するための開始ボタンと、
所定のサイズの原稿読取時にその所定のサイズの原稿が挿入される第１挿入口と、
前記所定のサイズより小さなサイズの原稿読取時にその小さなサイズの原稿が挿入される第２挿入口と、
有し、
前記画像読取手段は、
前記所定のサイズの原稿の読取時には、前記開始ボタンが操作された場合に、画像の読取を開始し、前記小さなサイズの原稿の読取時には、前記開始ボタンが操作されなくても、画像の読取を開始することを特徴とする請求項１ないし７の何れか１項に記載の画像読取装置。
【請求項９】
画像の読取を開始するための開始ボタンを有し、
２種類の材質の原稿を読み取り可能であり、
前記画像読取手段は、
前記２種類の材質の原稿のうちの柔らかい材質の原稿の読取時には、前記開始ボタンが操作された場合に、画像の読取を開始し、前記２種類のサイズの原稿のうちの硬い材質の原稿の読取時には、前記開始ボタンが操作されなくても、画像の読取を開始することを特徴とする請求項１ないし６の何れか１項に記載の画像読取装置。
【請求項１０】
画像の読取を開始するための開始ボタンと、
所定の材質の原稿読取時にその所定の材質の原稿が挿入される第１挿入口と、
前記所定の材質より硬い材質の原稿読取時にその硬い材質の原稿が挿入される第２挿入口と、
有し、
前記画像読取手段は、
前記所定の材質の原稿の読取時には、前記開始ボタンが操作された場合に、画像の読取を開始し、前記硬い材質の原稿の読取時には、前記開始ボタンが操作されなくても、画像の読取を開始することを特徴とする請求項１ないし７の何れか１項に記載の画像読取装置。
【請求項１１】
画像データの送信先を選択するための複数の選択ボタンを備える画像読取装置のコンピュータが読み取り可能なスキャンプログラムであって、
前記選択ボタンが選択される前に、前記複数の選択ボタンのうちの画像データを送信することが可能な状態にある送信先に対応する前記選択ボタンを第１の態様で表示させる選択前表示手段と、
前記選択ボタンが選択された後に、選択された前記選択ボタンを第１の態様とは異なる第２の態様で表示させるとともに、残りの前記選択ボタンを第１の態様で表示させる選択後表示手段と、
前記選択ボタンが選択された後に、画像の読取を開始する画像読取手段と、
して前記コンピュータを機能させることを特徴とするスキャンプログラム。
【発明の詳細な説明】
【技術分野】
【０００１】
本発明は、画像データを取得し、取得した画像データを所定の送信先に送付する画像読取装置等に関する。
【背景技術】
【０００２】
画像読取装置には、画像データを取得し、取得した画像データを所定の送信先に送付するものがある。そのような画像読取装置は、下記特許文献に記載されているように、有線，無線等により複数の機器に接続されており、画像データの送信先を選択するための選択ボタン等が設けられている。そして、ボタン操作により複数の機器のうちから所定のものが選択され、その選択された機器に、スキャンデータが送信される。
【先行技術文献】
【特許文献】
【０００３】
【特許文献１】特開２００５−１９２０２２号公報
【発明の概要】
【発明が解決しようとする課題】
【０００４】
ボタン操作により画像データの送信先を設定する画像読取装置には、画像データを送信可能な複数の機器に対応して複数のボタンを有するものがある。このように複数のボタンを有する画像読取装置では、ボタン数の増加により、操作対象のボタンを認識し難くなり、操作性が低下する虞がある。本発明は、そのような事情に鑑みてなされたものであり、複数のボタンを有する画像読取装置において、操作性を向上させることが可能な技術を提供する。
【課題を解決するための手段】
【０００５】
上記課題を解決するために、本発明に記載の画像読取装置は、画像データの送信先を選択するための複数の選択ボタンを備える画像読取装置であって、前記選択ボタンが選択される前に、前記複数の選択ボタンのうちの画像データを送信することが可能な状態にある送信先に対応する前記選択ボタンを第１の態様で表示させる選択前表示手段と、前記選択ボタンが選択された後に、選択された前記選択ボタンを第１の態様とは異なる第２の態様で表示させるとともに、残りの前記選択ボタンを第１の態様で表示させる選択後表示手段と、前記選択ボタンが選択された後に、画像の読取を開始する画像読取手段とを備えることを特徴とする。
【発明の効果】
【０００６】
本発明に記載の画像読取装置では、画像データを送信することが可能な状態にある送信先に対応する選択ボタンが第１の態様で表示される。そして、送信先の選択ボタンが選択された場合に、その選択された選択ボタンは、第２の態様で表示され、選択されなかった選択ボタンは、第１の態様で表示される。これにより、ユーザは、選択された送信先を容易に把握することが可能となる。また、選択されなかった選択ボタンの表示は維持されることから、送信先の選択のやり直し等に容易に対応することが可能となる。このように、本発明の画像読取装置によれば、操作性を向上させることが可能となる。
【０００７】
また、請求項２に記載の画像読取装置では、送信先に関するデフォルト設定がされている場合に、デフォルト設定されている送信先に対応する選択ボタンが第２の態様で表示される。これにより、ユーザは、デフォルト設定されている送信先を容易に把握することが可能となり、操作性を向上させることが可能となる。
【０００８】
また、請求項３に記載の画像読取装置では、画像読取が指示された後に、選択された選択ボタンが第３の態様で表示される。これにより、ユーザは、スキャン中及び、スキャンデータの送信中であることを容易に把握できる。
【０００９】
また、請求項４に記載の画像読取装置では、画像読取が指示された後に、選択された選択ボタン以外の選択ボタンの表示が禁止される。つまり、選択された選択ボタンのみが表示される。これにより、ユーザは、スキャンデータの送信先を確実に把握できる。
【００１０】
また、請求項５に記載の画像読取装置では、画像データの送信先が選択された後に、画像の読取を開始するための開始ボタンが表示される。そして、開始ボタン操作後に、選択ボタンの表示が制御される。つまり、開始ボタン操作後に、選択ボタンの第３の態様での表示および、選択されていない選択ボタンの表示の禁止が実行される。これにより、画像読取指示後の選択ボタンの表示制御を確実に行うことが可能となる。
【００１１】
また、請求項６に記載の画像読取装置では、画像読取が指示された後に、画像の読取を中止するための中止ボタンが表示される。これにより、中止ボタンを必要時にのみ表示することが可能となる。
【００１２】
また、請求項７に記載の画像読取装置では、大きな原稿の読取時には、開始ボタンの操作により、画像の読取が開始し、小さな原稿の読取時には、開始ボタンが操作されなくても、画像の読取が開始する。また、請求項８に記載の画像読取装置では、所定のサイズの原稿が挿入される第１挿入口と、その所定のサイズより小さなサイズの原稿が挿入される第２挿入口とが設けられ、第１挿入口に原稿が挿入された場合には、開始ボタンの操作により、画像の読取が開始し、第２挿入口に原稿が挿入された場合には、開始ボタンが操作されなくても、画像の読取が開始する。小さなサイズの原稿が挿入される挿入口には原稿台が設けられていない場合があり、そのような場合での原稿の挿入によるスキャンの実行は、非常に有効である。
【００１３】
また、請求項９に記載の画像読取装置では、柔らかい材質の原稿の読取時には、開始ボタンの操作により、画像の読取が開始し、硬い材質の原稿の読取時には、開始ボタンが操作されなくても、画像の読取が開始する。また、請求項１０に記載の画像読取装置では、所定の材質の原稿が挿入される第１挿入口と、その所定の材質より硬い材質の原稿が挿入される第２挿入口とが設けられ、第１挿入口に原稿が挿入された場合には、開始ボタンの操作により、画像の読取が開始し、第２挿入口に原稿が挿入された場合には、開始ボタンが操作されなくても、画像の読取が開始する。硬い材質の原稿が挿入される挿入口には原稿台が設けられていない場合があり、そのような場合での原稿の挿入によるスキャンの実行は、非常に有効である。
【図面の簡単な説明】
【００１４】
【図１】スキャナ１０のブロック図である。
【図２】カバー１４が閉じられた状態のスキャナ１０の斜視図である。
【図３】カバー１４が開けられた状態のスキャナ１０の斜視図である。
【図４】カバー１４が開けられた状態のスキャナ１０でのタッチパネル３６及び主電源スイッチ３４の正面図である。
【図５】カバー１４が閉じられた状態のスキャナ１０でのタッチパネル３６の正面図である。
【図６】スキャナ１０の動作フローチャートを示す図である。
【図７】スキャナ１０の動作フローチャートを示す図である。
【図８】スキャナ１０の動作フローチャートを示す図である。
【図９】タッチパネル３６の表示態様例を示す図である。
【図１０】タッチパネル３６の表示態様例を示す図である。
【発明を実施するための形態】
【００１５】
＜実施形態＞
図１に、本願に係る実施形態として例示されるスキャナ１０のブロック図を示し、図２及び図３に、スキャナ１０の斜視図を示す。スキャナ１０は、図２及び図３に示すように、スキャナ本体１２とカバー１４とによって構成されており、カバー１４は、スキャナ本体１２の上面に開閉可能に設けられている。図２は、カバー１４が閉じられた状態のスキャナ１０を示す斜視図であり、図３は、カバー１４が開けられた状態のスキャナ１０を示す斜視図である。
【００１６】
スキャナ１０は、原稿を読み取り、スキャンデータを作成する装置である。スキャナ１０には、図３に示すように、スキャナ本体１２の上面に原稿台２２が設けられており、原稿台２２は、カバー１４を開けた状態で露出する。その原稿台２２にセットされた原稿は、第１挿入口２４からスキャナ１０内に挿入され、画像が読み取られることで、スキャンデータが作成される。なお、第１挿入口２４から挿入される原稿の読取可能な最大サイズは、Ａ４サイズとされている。
【００１７】
また、スキャナ１０には、第１挿入口２４とは異なる第２挿入口２６が設けられている。第２挿入口２６は、スキャナ本体１２の背面側に設けられており、カバー１４が閉じられた状態で、第２挿入口２６に原稿を挿入することが可能となっている。ただし、第２挿入口２６には、原稿台は設けられていないため、手で把持した状態の原稿が、第２挿入口２６に挿入される。なお、第２挿入口２６から挿入される原稿の読取可能な最大サイズは、名刺サイズとされている。
【００１８】
また、第２挿入口２６から挿入される原稿は、比較的硬い材質の原稿であっても読取可能とされている。具体的には、厚紙，プラスチック等により成形された名刺，クレジットカード等を読取可能とされている。なお、第１挿入口２４から挿入される原稿の読取は、硬い材質の原稿の読取には対応しておらず、薄紙等の柔らかい材質の原稿に対応している。
【００１９】
スキャナ１０は、図１に示すように、ＣＰＵ（Central Processing Unitの略）３０、記憶部３２、主電源スイッチ３４、タッチパネル３６、画像読取機構３８、ネットワーク用Ｉ／Ｆ４０、ＵＳＢ用Ｉ／Ｆ４２、原稿検出センサ４４を主に備えている。これらの構成要素は、入出力ポート４６を介して互いに通信可能とされている。
【００２０】
画像読取機構３８は、ラインイメージセンサ等により構成されており、第１挿入口２４若しくは第２挿入口２６から挿入された原稿を読み取ることで、スキャンデータを作成する。原稿検出センサ４４は、第２挿入口２６に設けられており、第２挿入口２６に原稿が挿入されたか否かを検出する。
【００２１】
ネットワーク用Ｉ／Ｆ４０は、既知の無線ＬＡＮアクセスポイントであるアクセスポイント５０を介して、無線ＬＡＮ方式のインフラストラクチャーモード（複数の無線ＬＡＮ端末装置が、アクセスポイントを介してデータ通信するモード）に準拠する無線通信（電波を用いたデータ通信）５６を行うことが可能とされている。ＭＦＰ（Multifunction Peripheralの略）６０および、ＰＣ（Personal computerの略）６２も、第１アクセスポイント５０を介して、無線ＬＡＮ方式のインフラストラクチャーモードに準拠する無線通信６を行うことが可能とされている。すなわち、スキャナ１０は、アクセスポイント５０を介して、ＭＦＰ６０若しくはＰＣ６２にスキャンデータを送信することが可能である。
【００２２】
ＵＳＢ用Ｉ／Ｆ４２には、ＵＳＢメモリ６４若しくはＰＣ（Personal computerの略）６６を接続することが可能とされている。これにより、スキャナ１０は、ＵＳＢメモリ６４若しくはＰＣ６６にスキャンデータを送信することが可能である。
【００２３】
タッチパネル３６は、スキャナ１０を操作するためのものであり、図３に示すように、スキャナ本体１２の上面に設けられている。また、主電源スイッチ３４も、スキャナ本体１２の上面に設けられている。このため、カバー１４が開けられた状態において、ユーザは、図３及び図４に示すように、主電源スイッチ３４及びタッチパネル３６を視認するとともに、操作することが可能となっている。ただし、カバー１４には、タッチパネル３６の形状に合わせて切欠部６８が形成されている。このため、カバー１４が閉じられた状態において、ユーザは、図２及び図５に示すように、切欠部６８を介して、タッチパネル３６を視認するとともに、操作することが可能となっている。
【００２４】
タッチパネル３６には、図４及び図５に示すように、４個の選択ボタン７０，７２，７４，７６、開始ボタン７８、中止ボタン８０、表示部８２が設けられている。４個の選択ボタン７０，７２，７４，７６は、スキャンデータの送信先を選択するためのボタンである。
【００２５】
選択ボタン７０は、スキャンデータの送信先としてＰＣ６６を選択するためのボタンである。選択ボタン７２は、スキャンデータの送信先としてＵＳＢメモリ６４を選択するためのボタンである。選択ボタン７４は、スキャンデータの送信先としてＭＦＰ６０を選択するためのボタンである。選択ボタン７６は、スキャンデータの送信先としてＰＣ６４を選択するためのボタンである。開始ボタン７８は、画像の読み取りを開始するためのボタンである。中止ボタン８０は、画像の読み取りを中止するためのボタンである。
【００２６】
それら複数のボタン７０，７２，７４，７６、７８、８０は、タッチセンサ式のボタンであり、各ボタン７０，７２，７４，７６、７８、８０に対応して、ＬＥＤ（図示省略）が設けられている。各ボタン７０，７２，７４，７６、７８、８０は、ＬＥＤの点灯により、タッチパネル３６上に表示され、ＬＥＤの消灯により、各ボタン７０，７２，７４，７６、７８、８０がタッチパネル３６に表示されなくなる。また、ＬＥＤの点滅により、各ボタン７０，７２，７４，７６、７８、８０が間隔をおいた状態、つまり、点滅状態でタッチパネル３６に表示される。なお、ＬＥＤの点滅間隔を変更することが可能とされている。
【００２７】
表示部８２は、通信状態表示部８４及びエラー表示部８６によって構成されている。通信状態表示部８４は、無線通信（電波を用いたデータ通信）５６の状態を示すものであり、点灯により、無線通信が可能であることを示す。エラー表示部８６は、エラーの発生を示すものであり、点灯により、エラーの発生を示す。
【００２８】
記憶部３２は、プログラム８８を記憶する。プログラム８８は、スキャンプログラム９０、オペレーティングシステム９２を含む。スキャンプログラム９０は、画像読取機構３８によって得られたスキャンデータを各種機器に送信する処理を、ＣＰＵ３０に実行させるためのプログラムである。オペレーティングシステム９２は、スキャンプログラム９０に利用される基本的な機能を提供するプログラムである。オペレーティングシステム９２は、ネットワーク用Ｉ／Ｆ４０に通信を実行させるためのプログラムなどを含む。
【００２９】
また、記憶部３２は、スキャンデータ記憶領域９６を備える。スキャンデータ記憶領域９６は、画像読取機構３８によって得られたスキャンデータなどを記憶する領域である。なお、記憶部３２は、ＲＡＭ（Random Access Memoryの略）、ＲＯＭ（Read Only Memoryの略）、フラッシュメモリー、ＨＤＤ（ハードディスクの略）、ＣＰＵ３０が備えるバッファなどが組み合わされて構成されている。
【００３０】
ＣＰＵ３０は、記憶部３２内のプログラム８８に従って処理を実行する。以降、スキャンプログラム９０やオペレーティングシステム９２など、プログラムを実行するＣＰＵ３０のことを、単にプログラム名でも記載する場合がある。例えば、「スキャンプログラム９０が」という記載は、「スキャンプログラム９０を実行するＣＰＵ３０が」ということを意味する場合がある。
【００３１】
＜スキャナの動作＞
実施形態に係るスキャナ１０の動作を説明する。スキャナ１０では、スキャンプログラム９０を用いて、画像読取機構３８によって原稿からスキャンデータを取得し、取得したスキャンデータを所定の機器に送信するための処理が施される。具体的に、図６ないし図８を用いて、スキャンデータを取得し、取得したスキャンデータを所定の機器に送信するためのフローを説明する。
【００３２】
Ｓ１００において、ＣＰＵ３０は、複数のボタン７０，７２，７４，７６、７８、８０に対応する全ＬＥＤを消灯する。そして、Ｓ１０２に進む。Ｓ１０２において、ＣＰＵ３０は、ＵＳＢ用Ｉ／Ｆ４２にＰＣ６６が接続されているか否かを判断する。ＵＳＢ用Ｉ／Ｆ４２にＰＣ６６が接続されている場合（Ｓ１０２：ＹＥＳ）にはＳ１０４に進む。
【００３３】
Ｓ１０４において、ＣＰＵ３０は、スキャンデータの送信先としてＰＣ６６を選択するためのボタン、つまり、選択ボタン７０に対応するＬＥＤを点灯する。そして、Ｓ１０６に進む。一方、ＵＳＢ用Ｉ／Ｆ４２にＰＣ６６が接続されていない場合（Ｓ１０２：ＮＯ）にはＳ１０６に進む。
【００３４】
Ｓ１０６において、ＣＰＵ３０は、ＵＳＢ用Ｉ／Ｆ４２にＵＳＢメモリ６４が接続されているか否かを判断する。ＵＳＢ用Ｉ／Ｆ４２にＵＳＢメモリ６４が接続されている場合（Ｓ１０６：ＹＥＳ）にはＳ１０８に進む。Ｓ１０８において、ＣＰＵ３０は、スキャンデータの送信先としてＵＳＢメモリ６４を選択するためのボタン、つまり、選択ボタン７２に対応するＬＥＤを点灯する。そして、Ｓ１１０に進む。一方、ＵＳＢ用Ｉ／Ｆ４２にＵＳＢメモリ６４が接続されていない場合（Ｓ１０６：ＮＯ）にはＳ１１０に進む。
【００３５】
Ｓ１１０において、ＣＰＵ３０は、ＭＦＰ６０及びＰＣ６２とデータ通信可能であるか否かを判断する。ＭＦＰ６０及びＰＣ６２とデータ通信可能である場合（Ｓ１１０：ＹＥＳ）にはＳ１１２に進む。Ｓ１１２において、ＣＰＵ３０は、スキャンデータの送信先としてＭＦＰ６０、ＰＣ６２を選択するためのボタン、つまり、選択ボタン７４，７６に対応するＬＥＤを点灯する。そして、Ｓ１１４に進む。一方、ＭＦＰ６０及びＰＣ６２とデータ通信可能でない場合（Ｓ１１０：ＮＯ）にはＳ１１４に進む。
【００３６】
ちなみに、上記処理により、ＵＳＢ用Ｉ／Ｆ４２にＵＳＢメモリ６４及びＰＣ６６が接続され、ＭＦＰ６０及びＰＣ６２とデータ通信可能である場合には、図９（ａ）に示すように、選択ボタン７０，７２，７４，７６がタッチパネル３６に表示される。
【００３７】
Ｓ１１４において、ＣＰＵ３０は、スキャンデータの送信先に関してデフォルト設定されているか否かを判断する。つまり、ＣＰＵ３０は、優先的にスキャンデータを送信するべき送信先が設定されているか否かを判断する。デフォルト設定されていない場合（Ｓ１１４：ＮＯ）にはＳ１２４に進む。一方、デフォルト設定されている場合（Ｓ１１４：ＹＥＳ）にはＳ１１６に進む。
【００３８】
Ｓ１１６において、ＣＰＵ３０は、デフォルト設定されている送信先の選択ボタン７０，７２，７４，７６に対応するＬＥＤが点灯しているか否かを判断する。つまり、ＣＰＵ３０は、デフォルト設定されている送信先にスキャンデータを送信可能であるか否かを判断する。送信先の選択ボタン７０，７２，７４，７６に対応するＬＥＤが点灯していない場合（Ｓ１１６：ＮＯ）にはＳ１２４に進む。一方、送信先の選択ボタン７０，７２，７４，７６に対応するＬＥＤが点灯している場合（Ｓ１１６：ＹＥＳ）にはＳ１１８に進む。
【００３９】
Ｓ１１８において、ＣＰＵ３０は、デフォルト設定されている送信先の選択ボタン７０，７２，７４，７６に対応するＬＥＤを点滅させる。そして、Ｓ１２０に進む。Ｓ１２０において、ＣＰＵ３０は、スキャンデータの送信先を、デフォルト設定されている送信先に設定する。そして、Ｓ１２２に進む。Ｓ１２２において、ＣＰＵ３０は、開始ボタン７８に対応するＬＥＤを点灯する。そして、Ｓ１２４に進む。
【００４０】
Ｓ１２４において、ＣＰＵ３０は、ＬＥＤが点灯している選択ボタン７０，７２，７４，７６が押下されたか否かを判断する。ＬＥＤが点灯している選択ボタン７０，７２，７４，７６が押下されていない場合（Ｓ１２４：ＮＯ）にはＳ１３４に進む。Ｓ１３４において、ＣＰＵ３０は、スキャンデータの送信先が設定されているか否かを判断する。スキャンデータの送信先が設定されている場合（Ｓ１３４：ＹＥＳ）にはＳ１３２に進む。一方、スキャンデータの送信先が設定されていない場合（Ｓ１３４：ＮＯ）にはＳ１２４に戻る。
【００４１】
また、ＬＥＤが点灯している選択ボタン７０，７２，７４，７６が押下された場合（Ｓ１２４：ＹＥＳ）にはＳ１２６に進む。Ｓ１２６において、ＣＰＵ３０は、スキャンデータの送信先を、押下された選択ボタン７０，７２，７４，７６に対応する送信先に設定する。そして、Ｓ１２８に進む。
【００４２】
Ｓ１２８において、押下された選択ボタン７０，７２，７４，７６に対応するＬＥＤを点滅させる。そして、Ｓ１３０に進む。Ｓ１３０において、ＣＰＵ３０は、開始ボタン７８に対応するＬＥＤを点灯する。そして、Ｓ１３２に進む。
【００４３】
ちなみに、上記処理により、デフォルト設定、若しくは、選択ボタン７０，７２，７４，７６の押下により、スキャンデータの送信先が設定された場合、具体的には、例えば、スキャンデータの送信先としてＵＳＢメモリ６４が設定された場合には、図９（ｂ）に示すように、ＵＳＢメモリ６４に対応する選択ボタン７２がタッチパネル３６に点滅状態で表示され、残りの選択ボタン７０，７４，７６はタッチパネル３６に点灯状態で表示される。以下、具体的な例を説明する。ＣＰＵ３０は、選択ボタン７０，７４，７６のうち、選択ボタンがタッチされる以前から点灯していたボタンに対応するＬＥＤの点灯状態を維持する。ＣＰＵ３０は、選択ボタンがタッチされる以前に点滅していたボタンに対応するＬＥＤを点灯状態にする。また、他の具体的な例としては、ＣＰＵ３０が、すべてのＬＥＤを消灯状態にしてから、選択ボタンがタッチされる以前から点灯していたボタンに対応するＬＥＤ、および、選択ボタンがタッチされる以前に点滅していたボタンに対応するＬＥＤを点灯状態にしてもよい。そして、図１０（ａ）に示すように、開始ボタン７８がタッチパネル３６に表示される。
【００４４】
Ｓ１３２において、ＣＰＵ３０は、開始ボタン７８が押下されたか否かを判断する。開始ボタン７８が押下された場合（Ｓ１３２：ＹＥＳ）にはＳ１３６に進む。Ｓ１３６において、ＣＰＵ３０は、開始ボタン７８に対応するＬＥＤを消灯する。そして、Ｓ１３８に進む。Ｓ１３８において、ＣＰＵ３０は、中止ボタン８０に対応するＬＥＤを点灯する。そして、Ｓ１４０に進む。
【００４５】
Ｓ１４０において、ＣＰＵ３０は、選択された選択ボタン７２に対応するＬＥＤの点滅間隔を長くする。そして、Ｓ１４２に進む。Ｓ１４２において、ＣＰＵ３０は、選択された選択ボタン７２以外の選択ボタン７０，７４，７６に対応するＬＥＤを消灯する。そして、Ｓ１４４に進む。
【００４６】
ちなみに、上記処理により、開始ボタン７８が押下された場合には、図１０（ｂ）に示すように、開始ボタン７８の表示が消され、中止ボタン８０が表示される。また、選択された選択ボタン７２の点滅間隔が長くなり、他の選択ボタン７０，７４，７６の表示が消される。
【００４７】
Ｓ１４４において、ＣＰＵ３０は、画像読取機構３８による原稿の読み取りを開始する。そして、Ｓ１４６に進む。Ｓ１４６において、ＣＰＵ３０は、中止ボタン８０が押下されたか否かを判断する。中止ボタン８０が押下された場合（Ｓ１４６：ＹＥＳ）にはＳ１００に戻る。一方、中止ボタン８０が押下されていない場合（Ｓ１４６：ＮＯ）にはＳ１４８に進む。
【００４８】
Ｓ１４８において、ＣＰＵ３０は、画像読取機構３８による原稿の読み取りが終了したか否かを判断する。原稿の読み取りが終了していない場合（Ｓ１４８：ＮＯ）にはＳ１４６に戻る。一方、原稿の読み取りが終了した場合（Ｓ１４８：ＹＥＳ）にはＳ１５０に進む。Ｓ１５０において、ＣＰＵ３０は、原稿の読み取りによって取得したスキャンデータを設定された送信先に送信する。そして、フローを終了する。
【００４９】
また、開始ボタン７８が押下されていない場合（Ｓ１３２：ＮＯ）にはＳ１５２に進む。Ｓ１５２において、ＣＰＵ３０は、第２挿入口２６に原稿が挿入されたか否かを判断する。具体的には、ＣＰＵ３０は、原稿検出センサ４４によって原稿の有無を検出する。第２挿入口２６に原稿が挿入された場合（Ｓ１５２：ＹＥＳ）にはＳ１５４に進む。
【００５０】
Ｓ１５４において、ＣＰＵ３０は、デフォルト設定されている送信先だけがスキャナ１０に接続されているか否かを判断する。そして、デフォルト設定されている送信先だけがスキャナ１０に接続されている場合に、ＣＰＵ３０は、デフォルト設定されている送信先がスキャンデータの送信先として設定されているか否かを判断する。デフォルト設定されている送信先がスキャンデータの送信先として設定されている場合（Ｓ１５４：ＹＥＳ）にはＳ１３６に進み、それ以降の処理が、上述したように実行される。
【００５１】
一方、デフォルト設定されている送信先だけがスキャナ１０に接続されていない場合、若しくは、デフォルト設定されている送信先がスキャンデータの送信先として設定されていない場合（Ｓ１５４：ＮＯ）にはＳ１３２に戻る。
【００５２】
また、第２挿入口２６に原稿が挿入されていない場合（Ｓ１５２：ＮＯ）にはＳ１５６に進む。Ｓ１５６において、ＣＰＵ３０は、送信先の接続状態に変化があったか否かを判断する。送信先の接続状態に変化がない場合（Ｓ１５６：ＮＯ）にはＳ１２４に戻る。一方、送信先の接続状態に変化があった場合（Ｓ１５６：ＹＥＳ）にはＳ１５８に進む。
【００５３】
Ｓ１５８において、ＣＰＵ３０は、設定されている送信先の接続が切断されたか否かを判断する。設定されている送信先の接続が切断されていない場合（Ｓ１５８：ＮＯ）にはＳ１２４に戻る。一方、設定されている送信先の接続が切断された場合（Ｓ１５８：ＹＥＳ）にはＳ１００に戻る。
【００５４】
＜効果＞
実施形態にかかるスキャナ１０では、図９（ａ）に示すように、スキャンデータを送信可能な機器に対応する選択ボタン７０，７２，７４，７６がタッチパネル３６に表示される（Ｓ１００〜Ｓ１１２）。これにより、ユーザは、スキャンデータを送信することが可能な機器の中から送信先を選択することが可能となる。
【００５５】
また、スキャンデータの送信先が設定された場合には、図９（ｂ）に示すように、設定された送信先のＵＳＢメモリ６４に対応する選択ボタン７２が点滅状態で表示され（Ｓ１１８，Ｓ１２８）、残りの選択ボタン７０，７４，７６は、点灯状態で表示される。つまり、送信先として設定されていない機器に対応する選択ボタンは、第１の態様で表示され、送信先として設定されている機器に対応する選択ボタンは、第２の態様で表示される。これにより、ユーザは、スキャンデータの送信先を容易に把握することが可能となる。なお、第１の態様で表示される選択ボタンは、スキャンデータの送信先が設定される前の表示状態が維持されてもよく、スキャンデータの送信先が設定された後に、一端、表示が消され、再度、表示されても良い。
【００５６】
また、スキャンデータの送信先に関するデフォルト設定がある場合（Ｓ１１４：ＹＥＳ）には、選択ボタン７０，７２，７４，７６が押下されることなく、スキャンデータの送信先が、デフォルト設定されている送信先に設定される（Ｓ１２０）。これにより、ユーザは、余分な操作を省くことが可能となる。
【００５７】
また、スキャンデータの送信先が設定された後に、図１０（ａ）に示すように、開始ボタン７８がタッチパネル３６に表示される（Ｓ１２２，Ｓ１３０）。これにより、開始ボタン７８を必要時にのみ表示させることが可能となり、操作性が向上する。
【００５８】
また、開始ボタン７８が操作された後、つまり、原稿の読取が指示された後に、図１０（ｂ）に示すように、開始ボタン７８の表示が消される（Ｓ１３６）。これにより、操作されないボタンの表示を禁止することが可能となる。
【００５９】
また、開始ボタン７８が操作された後、つまり、原稿の読取が指示された後に、図１０（ｂ）に示すように、中止ボタン８０がタッチパネル３６に表示される（Ｓ１３８）。これにより、中止ボタン８０を必要時にのみ表示させることが可能となり、操作性が向上する。
【００６０】
また、開始ボタン７８が操作された後、つまり、原稿の読取が指示された後に、送信先に対応する選択ボタン７２の点滅間隔が変更される（Ｓ１４０）。つまり、第２の態様で表示されている選択ボタンが、第３の態様で表示される。これにより、ユーザは、スキャン中及び、スキャンデータの送信中であることを容易に把握できる。
【００６１】
また、開始ボタン７８が操作された後、つまり、原稿の読取が指示された後に、図１０（ｂ）に示すように、送信先に対応する選択ボタン７２以外の選択ボタン７０，７４，７６の表示が消される（Ｓ１４２）。これにより、ユーザは、スキャンデータの送信先を確実に把握できる。
【００６２】
なお、「原稿の読取が指示された後」は、読取指示の信号が出力された後を意味しており、その信号の入力前及び入力後も含む。また、読取指示は、開始ボタン７８の操作により出力されてもよく、他の手法により出力されてもよい。さらに言えば、実際の原稿の読取の有無は関係なく、原稿の読取開始前及び原稿の読取開始後も含む。
【００６３】
また、第１挿入口２４から挿入された原稿は、開始ボタン７８が操作された場合（Ｓ１３２：ＹＥＳ）に、スキャンされる。一方、第２挿入口２６から挿入された原稿は、所定の条件を満たした場合（Ｓ１５４：ＹＥＳ）に、開始ボタン７８が操作されなくても、スキャンされる。つまり、ユーザが原稿を第２挿入口２６に挿入するだけで、スキャンが開始される。これにより、第２挿入口２６から挿入される原稿のスキャン時における操作性が向上する。特に、第２挿入口２６には、上述したように、手で把持した状態の原稿が挿入されるため、第２挿入口２６への原稿の挿入によるスキャンの実行は、非常に有効である。
【００６４】
＜変形例＞
上記実施形態では、各種ボタン７０，７２，７４，７６、７８、８０がタッチセンサ式のボタンとされているが、部材の押下、タッチまたは接近を、部材を介した操作入力として受け付けるものであればよい。また、説明書等に「ボタン」と記載されておらず、「キー」等と記載されている部材であっても、本発明の「ボタン」に含まれる。
【００６５】
また、上記実施例では、第１の表示態様が、点灯した状態での表示態様であり、第２の表示態様及び第３の表示態様が、点滅した状態での表示態様である。そして、第２の表示態様と第３の表示態様とは、点滅間隔が異なっているが、それらの組み合わせは変更することが可能である。また、第１の表示態様、第２の表示態様、第３の表示態様は、上記表示態様に限られず、種々の態様で表示することが可能である。例えば、各表示態様に応じて、表示色、輝度等を変更して表示することが可能である。
【００６６】
本実施形態のスキャナ１０では、スキャンプログラム９０に基づいて実行するＣＰＵ３０が、各種の処理を行う場合を説明した。しかし、この形態に限られない。スキャンプログラム９０に基づいて実行するＣＰＵ３０が、オペレーティングシステム９２、他のシステム、ハード構成に対して、各種の処理を行わせる指示を出す形態であってもよい。
【００６７】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【００６８】
スキャナ１０は画像読取装置の一例である。ＣＰＵ３０はコンピュータの一例である。第１挿入口２４は第１挿入口の一例である。第２挿入口２６は第２挿入口の一例である。選択ボタン７０，７２，７４，７６は選択ボタンの一例である。開始ボタン７８は開始ボタンの一例である。中止ボタン８０は中止ボタンの一例である。スキャンプログラム９０はスキャンプログラムの一例である。Ｓ１００〜Ｓ１１８を実行するＣＰＵ３０は、選択前表示手段の一例である。Ｓ１２４〜Ｓ１２８を実行するＣＰＵ３０は、選択後表示手段の一例である。Ｓ１４４〜Ｓ１４８を実行するＣＰＵ３０は、画像読取手段の一例である。Ｓ１２０、Ｓ１３０を実行するＣＰＵ３０は、開始ボタン表示手段の一例である。Ｓ１３８を実行するＣＰＵ３０は、中止ボタン表示手段の一例である。Ｓ１４０、Ｓ１４２を実行するＣＰＵ３０は、読取指示後表示手段の一例である。
【００６９】
なお、各プログラムは一つのプログラムモジュールから構成されるものであってもよいし、複数のプログラムモジュールから構成されるものであってもよい。また、各一例は置換可能な他の構成であってもよく、本発明の範疇である。プログラム（スキャンプログラム９０）に基づく処理を実行するコンピュータ（ＣＰＵ３０）であってもよいし、オペレーティングシステムや他のアプリケーション、プログラムなど、本実施例のプログラム以外のプログラムに基づく処理を実行するコンピュータであってもよいし、コンピュータの指示に従って動作するハード構成（画像読取機構３８など）であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【符号の説明】
【００７０】
１０：スキャナ、２４：第１挿入口、２６：第２挿入口、７０：選択ボタン、７２：選択ボタン、７４：選択ボタン、７６：選択ボタン、７８：開始ボタン、８０：中止ボタン
【図１】
2014053784.tif 000003
【図２】
2014053784.tif 000004
【図３】
2014053784.tif 000005
【図４】
2014053784.tif 000006
【図５】
2014053784.tif 000007
【図６】
2014053784.tif 000008
【図７】
2014053784.tif 000009
【図８】
2014053784.tif 000010
【図９】
2014053784.tif 000011
【図１０】
2014053784.tif 000012